(57)【特許請求の範囲】
【請求項１】
内部に収容室が区画されると共に当該収容室に連通する開口が上面に設けられた曳舟本体と、当該曳舟本体の左右方向に配置された第１中心軸を中心として俯仰動作することによって上記開口を開閉する蓋体と、当該蓋体に設けられ、当該蓋体を閉じ状態にロックするロック機構とを有する鮎釣用曳舟において、
上記ロック機構は、
上記蓋体の左右方向に配置された第２中心軸に回動自在に支持された中央部、当該中央部から上方に延びる第１アーム部及び当該中央部から下方に延びる第２アーム部を有し、上記第２中心軸を中心に所定方向に回動することによって上記第２アームの下端部が上記曳舟本体に当接係合する第１姿勢と上記第２中心軸を中心に反所定方向に回動することによって上記第２アームの下端部が上記曳舟本体から離反して当該係合が解除される第２姿勢との間で姿勢変化し得るロック部材と、
上記ロック部材の上方で俯仰動作し得るように上記蓋体の左右方向に配置された第３中心軸に回動可能に支持され、起立した状態から倒伏することによって上記第１姿勢にあるロック部材の第１アーム部を弾性変形させて当該第１アーム部の上端部に係合すると共に当該ロック部材を覆い、倒伏した状態から起立することによって第１姿勢にあるロック部材の第１アーム部を弾性変形させて当該第１アーム部の上端部から離脱すると共に当該ロック部材を露出させる安全カバーとを備えている鮎釣用曳舟。
【請求項２】
上記ロック部材の第１アーム部の上端部に上記反所定方向側に突出する係合凸部が形成され、
上記安全カバーの下面に下方に突出する突片が形成されており、
当該突片は、
当該安全カバーが倒伏したときに上記第１アーム部を弾性変形させつつ上記係合凸部と嵌め合わされ、当該安全カバーが起立したときに上記第１アーム部を弾性変形させつつ上記係合凸部から離脱される係合凹部を備えている請求項１に記載の鮎釣用曳舟。
【請求項３】
上記ロック部材は、可撓性を有する合成樹脂からなる請求項１又は２に記載の鮎釣用曳舟。
【請求項４】
上記安全カバーが起立したときに当該起立状態を一定の保持力で保持する保持機構がさらに設けられている請求項１から３のいずれかに記載の鮎釣用曳舟。
【請求項５】
上記保持機構は、
上記蓋体に設けられ、上記起立した安全カバーに係合し得る係合突起と、
上記安全カバーに設けられ、当該安全カバーが起立したときに上記係合突起に当接して当該安全カバーの倒伏する方向への回動を規制する回動規制部材とを有する請求項４に記載の鮎釣用曳舟。
【発明の詳細な説明】
【技術分野】
【０００１】
本発明は、鮎釣りの際にオトリとして使用される鮎を保管する曳舟の構造に関するものである。
【背景技術】
【０００２】
鮎釣りにおいては「友釣り」と称される釣法がある。友釣りでは、生きた鮎がオトリとして使用される。釣人は、このオトリ鮎に釣針を装着し、ターゲットとなる鮎の縄張りに侵入させることにより、ターゲットとなる鮎のアタックを誘うものである。したがって、友釣りでは、体力のある鮎がオトリとして選定されなければ、ターゲットとなる鮎のアタックを期待できない。そのため、釣人は、実釣において常にオトリとなる鮎を注意深く観察し、鮎の体力が衰えたと判断した場合には、直ちにオトリとなる鮎を交換する必要がある。
【０００３】
従来から、オトリとなる鮎は、「曳舟」と称される容器に保管され、釣人は、実釣中にこの曳舟を常に携帯する（例えば、特許文献１〜特許文献４参照）。図６は、従来の一般的な曳舟の斜視図である。
【０００４】
同図が示すように、曳舟１は、船形に形成された本体２と、本体２に連結されたロープ３とを備えている。ロープ３にはフック４〜６が設けられており、釣人はフック４〜６を身体や釣り場の固定物に引っ掛けることにより、曳舟１を係留しておくことができる。曳舟１は水面に浮かべて使用され、この曳舟１の内部に鮎を収容する収容室が区画されている。この収容室には常時水が出入りするようになっており、収容室に収容された鮎には常に新鮮な水が供給されるようになっている。また、本体２が船形に形成されていることから、釣人は、曳舟１を水に浮かべたまま釣り場を容易に移動することができる。
【０００５】
前述のように、釣人は、オトリ鮎の体力が衰えたと判断したときは、当該オトリ鮎と曳舟１内に収容されている鮎とを交換する。曳舟１の本体２は、釣人が鮎を出し入れするための蓋７を備えており、釣人は、この蓋７を手で開けることにより、鮎を出し入れすることができる（例えば、特許文献５参照）。
【０００６】
【特許文献１】特開２００２−１０１７９９公報
【特許文献２】特開２００１−１９０２０２公報
【特許文献３】特開平１１−１９６７４５号公報
【特許文献４】特開平７−９５８４０号公報
【特許文献５】実公平６−１６５２２号公報
【発明の開示】
【発明が解決しようとする課題】
【０００７】
ところで、実釣においては、釣人は釣竿を把持しつつ瀬に進入すると共に針、ラインカッター、根掛外し、タモ網その他の釣道具も装備し操作する。そのため、鮎の交換時においては、釣人が片手で簡単に上記蓋７を開閉することができる必要があり、しかも釣人が意図的に蓋７を開けない限り当該蓋７が確実に閉じられている必要がある。なぜなら、実釣において釣人が片手で簡単に蓋７を開閉することができなければ、釣人は、鮎の交換作業や釣竿その他の釣道具の操作を円滑に扱うことができなくなるからである。
【０００８】
そこで、本発明の目的は、釣人が鮎の取り出しを片手で容易に行うことができるように簡単に開閉され、しかも閉じ状態にあるときは不用意に開放されることがない蓋を備えた鮎釣用曳舟を提供することである。
【課題を解決するための手段】
【０００９】
(1) 上記目的が達成されるため、本発明に係る鮎釣用曳舟は、内部に収容室が区画されると共に当該収容室に連通する開口が上面に設けられた曳舟本体と、当該曳舟本体の左右方向に配置された第１中心軸を中心として俯仰動作することによって上記開口を開閉する蓋体と、当該蓋体に設けられ、当該蓋体を閉じ状態にロックするロック機構とを有する。上記ロック機構は、ロック部材と安全カバーとを有する。ロック部材は、上記蓋体の左右方向に配置された第２中心軸に回動自在に支持された中央部、当該中央部から上方に延びる第１アーム部及び当該中央部から下方に延びる第２アーム部を有する。このロック部材は、上記第２中心軸を中心に所定方向に回動することによって上記第２アームの下端部が上記曳舟本体に当接係合する第１姿勢と、上記第２中心軸を中心に反所定方向に回動することによって上記第２アームの下端部が上記曳舟本体から離反して当該係合が解除される第２姿勢との間で姿勢変化することができる。上記安全カバーは、上記ロック部材の上方で俯仰動作し得るように上記蓋体の左右方向に配置された第３中心軸に回動可能に支持されている。この安全カバーは、起立した状態から倒伏することによって上記第１姿勢にあるロック部材の第１アーム部を弾性変形させて当該第１アーム部の上端部に係合すると共に当該ロック部材を覆い、倒伏した状態から起立することによって第１姿勢にあるロック部材の第１アーム部を弾性変形させて当該第１アーム部の上端部から離脱すると共に当該ロック部材を露出させる。
【００１０】
釣人は、曳舟本体の蓋体のロックを解除し、当該蓋体を第１中心軸を中心に回動させることによって当該蓋体を開放する。この蓋体が開放されることによって曳舟本体の上面に設けられた開口が露出し、釣人は、鮎を曳舟本体の収容室に収容することができる。また、釣人は、この蓋体を上記第１中心軸を中心に回動させることによって閉じることができる。さらに、釣人は、ロック機構を操作することによって当該蓋体を閉じ状態にロックすることができる。詳細には、以下のようにして蓋体が開閉される。
【００１１】
蓋体は、開放状態から第１回転軸を中心に回動倒伏され、曳舟本体の開口が当該蓋体によって閉塞される。このとき、蓋体に設けられたロック部材が第２中心軸を中心に回動し、一旦第２姿勢となった後に第１姿勢に変化する。これにより、ロック部材の第２アーム部の下端部が曳舟本体に係合し、蓋体は、当該曳舟本体に対して閉じ状態に保持される。さらに、安全カバーが第３中心軸を中心に回動され、上記ロック部材を上から覆うように倒伏される。このとき、安全カバーは、上記ロック部材を第１姿勢に保持したままで上記第１アーム部を弾性変形させることによって当該第１アーム部の上端部に係合する。このように安全カバーが倒伏されることによって上記ロック部材が当該安全カバーによって覆われるので、釣人は、意図的に安全カバーを起立させない限り、ロック部材を操作することはできない。
【００１２】
一方、釣人は、上記ロック部材を覆っている安全カバーを上記第３中心軸を中心に回動させて起立させることができる。このとき、安全カバーは、上記ロック部材を第１姿勢に保持したままで上記第１アーム部を弾性変形させることによって当該第１アーム部の先端部から離脱する。これにより、上記ロック部材が露出し、釣人は、このロック部材を操作することができる。釣人は、このロック部材を上記第２中心軸を中心に回動させることによって第１姿勢から第２姿勢へと変化させることができる。ロック部材は、第２中心軸の回りに回動自在となっているから、釣人は、片手で簡単にこのロック部材の姿勢を第２姿勢へと変化させることができる。ロック部材が第２姿勢に変化すると、当該ロック部材と上記曳舟本体との係合が解除されるから、釣人は、ロック部材を手で摘んだ状態で蓋体を開けることができる。
【００１３】
(2) 上記ロック部材の第１アーム部の上端部に上記反所定方向側に突出する係合凸部が形成され、上記安全カバーの下面に下方に突出する突片が形成されているのが好ましい。当該突片は、当該安全カバーが倒伏したときに上記第１アーム部を弾性変形させつつ上記係合凸部と嵌め合わされ、当該安全カバーが起立したときに上記第１アーム部を弾性変形させつつ上記係合凸部から離脱される係合凹部を備えているのが好ましい。
【００１４】
この構成では、安全カバーが倒伏されたときは、当該安全カバーが上記係合凸部に当接する。このとき、上記ロック部材は、安全カバーによって所定方向側に回動するように、すなわち第１姿勢となる方向に付勢されることになるが、当該ロック部材はすでに第１姿勢であるから、当該ロック部材は第１姿勢に保持されつつ上記第１アーム部が弾性変形する。この第１アーム部の弾性変形により、安全カバーの係合凹部に上記係合凸部が嵌め込まれる。また、この係合凹部に上記係合凸部が嵌め込まれている状態において、安全カバーが起立されると、同様にして上記第１アーム部が弾性変形し、上記係合凹部から上記係合凸部が離脱する。
【００１５】
(3) 上記ロック部材は、可撓性を有する合成樹脂から構成されているのが好ましい。これにより、弾性変形するロック部材が簡単に且つ安価に構成され得る。
【００１６】
(4) 上記安全カバーが起立したときに当該起立状態を一定の保持力で保持する保持機構がさらに設けられているのが好ましい。
【００１７】
この保持機構が設けられることにより、安全カバーが起立されたときに当該起立状態が保持される。そのため、釣人がロック部材を操作して蓋体を開ける際に安全カバーが倒伏することがない。したがって、釣人は一層容易に蓋体を開けることができる。また、この安全カバーは、一定の保持力で保持されているだけであるから、この保持力に抗して安全カバーが回動されると、当該安全カバーは倒伏する。
【００１８】
(5) 上記保持機構は、上記蓋体に設けられ、上記起立した安全カバーに係合し得る係合突起と、上記安全カバーに設けられ、当該安全カバーが起立したときに上記係合突起に当接して当該安全カバーの倒伏する方向への回動を規制する回動規制部材とを有する。
【００１９】
この構成では、安全カバーが起立されたときに、当該安全カバーに設けられた回動規制部材が蓋体に設けられた係合突起に当接することにより、安全カバーの倒伏が規制される。ただし、安全カバーが強制的に倒伏する方向に回動されると、上記回動規制部材と上記係合突起との係合が外れ、当該安全カバーは倒伏される。
【発明の効果】
【００２０】
このように本発明では、実釣中において釣人が片手で簡単に蓋体を開閉することができると共に、安全カバーが倒伏されていれば、釣人は、意図的に蓋体を開放しない限り、当該蓋体が釣人の意に反して不用意に開放されることはない。
【発明を実施するための最良の形態】
【００２１】
以下、適宜図面が参照されつつ、好ましい実施形態に基づいて本発明が詳細に説明される。
【００２２】
図１ないし図３は、本発明の一実施形態に係る鮎釣用曳舟の斜視図である。
【００２３】
この鮎釣用曳舟１０は、鮎釣りの際にオトリとして使用される鮎を生きたまま保存するためのものである。鮎釣用曳舟１０は、実釣中に釣人の身体等に係留され、川面に浮かべられる。鮎釣用曳舟１０は、曳舟本体１１と、図示されていない係留ロープとを備えている。この係留ロープの一端部は、曳舟本体１１の船首に設けられたロープアンカー１２に連結され、他端部が例えば釣人の腰部に繋がれる。
【００２４】
曳舟本体１１は、ボート状の外観を呈し、例えば、アクリロニトリルブタジエンスチレン共重合体（ＡＢＳ）、アクリル、ポリプロピレン（ＰＰ）、ポリカーボネート（ＰＣ）、等の樹脂から構成される。本実施形態では、曳舟本体１１は、下部本体３５及び上部本体３６とを有し、これらが上下方向に嵌め合わされている。両者が嵌め合わされる位置は、同図において、パーティングラインＮ１で示されている。
【００２５】
図３が示すように、曳舟本体１１の内部は空洞になっており、この空洞により、鮎を収容する収容室３７が構成されている。また、曳舟本体１１の上面１３に開口３８が設けられている。この開口３８は、上記収容室３７と連通している。曳舟本体１１に蓋１４が取り付けられている。この蓋１４は、上記開口３８を開閉する。この蓋１４は、ヒンジ１５を介して曳舟本体１１に対して回動可能に連結されている。具体的には、蓋１４の基端部が蓋支持軸３９（第１中心軸）によって支持されている。この蓋支持軸３９は、上記開口３８に隣接し、当該開口３８を臨む位置に左右方向に沿って配置されている。蓋１４は、この蓋支持軸３９を中心に回動し、俯仰動作することができる。したがって、蓋１４は、図１及び図２が示すように上記開口３８を閉じることができ、また、図３が示すように上記開口３８を開くことができる。この蓋１４が開けられると、上記開口３８が露出するので、釣人は、容易に鮎を上記収容室３７に出し入れすることができる。
【００２６】
曳舟本体１１は、給水孔１９〜２１及び排水孔２２〜２４を備えている。これらは、曳舟本体１１の内部と連通している。したがって、この鮎釣用曳舟１０が川面に浮かべられると、水が上記給水孔１９〜２１から曳舟本体１１の内部、すなわち上記収容室３７に進入し、この収容室３７内の水は、上記排水孔２２〜２４から排出される。上記収容室３７に水が進入した場合であっても、鮎釣用曳舟１０が沈没しないように曳舟本体１１の浮力が設定されている。
【００２７】
上記給水孔１９〜２１は、船首前面２８に左右対称に設けられている。図１は、船首前面２８の左側に配置された給水孔１９〜２１が示されている。各給水孔１９〜２１は、細長の貫通孔からなり、船首前面２８に沿って上下方向に延びている。上記排水孔２２〜２４は、曳舟本体１１の側面３０に左右対称に設けられている。図１〜図３では、左舷側面３０に配置された排水孔２２〜２４が示されている。各排水孔２２〜２４は、細長の貫通孔からなり、左舷及び右舷の側面３０に沿って前後方向に延びている。
【００２８】
上記蓋１４は、ロック機構１７を備えている。このロック機構１７は、上記蓋１４が閉じ姿勢にあるとき、すなわちこの蓋１４が上記開口３８を閉塞しているときに、当該閉じ姿勢を維持する。したがって、釣人が意図しないときに蓋１４が開閉することが防止される。このロック機構１７は、曳舟本体１１に係合するロック部材４０（図３参照）と、安全カバー１８とを備えている。釣人は、これら安全カバー１８及びロック部材４０を後述のように操作することによって、上記蓋１４を開閉することができるようになっている。
【００２９】
なお、本実施形態に係る鮎釣用曳舟１０では、上記蓋１４に扉１６が設けられている。この扉１６は、いわゆる観音開き式の扉であり、曳舟本体１１の内側に開閉するようになっている。したがって、釣人は、上記蓋１４を開くことなく、釣れた鮎を扉１６から容易に上記収容室３７へ入れることもできる。
【００３０】
図４及び図５は、曳舟本体１１の要部拡大断面図である。図４は、曳舟本体１１の船首部分の断面図であり、上記ロック機構１７の構造を示している。また、図５は、曳舟本体１１の船首部分の断面図であり、上記ロック機構１７が解除された状態を示している。
【００３１】
図４が示すように、上記ロック部材４０及び安全カバー１８は、蓋１４に取り付けられている。ロック部材４０は、略水平方向に延びる中央部４１と、この中央部４１から上方に延びる第１アーム部４２と、上記中央部４１から下方に延びる第２アーム部４３とを有する。これら中央部４１、第１アーム部４２及び第２アーム部４３は、樹脂（典型的にはポロオキシメチレン（ＰＯＭ））により一体的に形成される。ただし、ロック部材４０を構成する材料は、特に限定されるものではなく、可撓性を有する合成樹脂であれば種々のものが採用され得る。
【００３２】
ロック部材４０は、ロック部材支持軸４４（第２中心軸）に支持されている。このロック部材支持軸４４は、左右方向に沿って配置され、上記蓋１４に固定されている。ロック部材４０の中央部４１は、図４が示すように、軸受部４５を備えており、この軸受部４５がロック部材支持軸４４と嵌合している。これにより、ロック部材４０は、ロック部材支持軸４４を中心にして回動することができるようになっている。本実施形態では、上記中央部４１は、ねじりコイルバネ４６を備えている。このねじりコイルバネ４６は、当該中央部４１とロック部材支持軸４４との間に介在され、ロック部材４０を同図において左回り（所定方向）に回動するように弾性的に付勢する。
【００３３】
したがって、同図が示すように、蓋１４が閉じられたときは、ロック部材４０が左方向に回動し、上記第２アーム部４３の下端部４７が曳舟本体１１に当接する。このように、第２アーム部４３の下端部４７が曳舟本体１１に当接したときのロック部材４０の姿勢は、「第１姿勢」と定義される。本実施形態では、この第２アーム部４３の下端部４７は鍵状に形成されている。したがって、ロック部材４０が第１姿勢になったときは、第２アーム部４３の下端部４７は、曳舟本体１１の所定部４８に係合する。
【００３４】
このロック部材４０は、上記ねじりコイルバネ４６によって上記方向に回動するように弾性付勢されているから、例えば、釣人がロック部材４０を操作して右方向（反所定方向）に回動させることも可能である。ロック部材４０が右方向に回動すると、上記第２アーム部４３の下端部４７は、上記曳舟本体１１の所定部４８から離反し、上記係合が解除される。このように、第２アーム部４３の下端部４７が曳舟本体１１から離反したときのロック部材４０の姿勢は、「第２姿勢」と定義される。
【００３５】
上記ロック部材４０の第１アーム４２の上端部に係合凸部４９が形成されている。この係合凸部４９は、右方向（上記反所定方向）に突出している。上記ロック部材４０が上記第１姿勢となったときに、上記係合凸部４９は、上記蓋１４の所定部（後述される係合凹部５０）と係合するようになっている。
【００３６】
安全カバー１８は、矩形の板状に形成されている。安全カバー１８は、安全カバー支持軸５１（第３中心軸）に支持されている。この安全カバー支持軸５１は、上記ロック部材支持軸４４と同様に左右方向に沿って配置され、上記蓋１４に固定されている。安全カバー１８の基端部５２は、この安全カバー支持軸５１によって支持されている。安全カバー１８は、安全カバー支持軸５１を中心にして回動し、俯仰動作することができるようになっている。したがって、安全カバー１８は、図４が示すように、左方向に回動倒伏して上記ロック部材４０を覆うことができ、また、図５が示すように、右方向に回動起立して上記ロック部材４０を露出させることができる。本実施形態では、安全カバー１８が倒伏した姿勢（図４参照）は「倒伏姿勢」と定義され、起立した姿勢（図５参照）は、「起立姿勢」と定義される。なお、安全カバー１８が上記倒伏姿勢となるように、当該安全カバー１８を弾性的に回動付勢する部材（典型的にはねじりコイルバネ）が設けられていてもよい。
【００３７】
安全カバー１８の下面５３に突片５４が形成されている。この突片５４は、当該下面５４に配置された帯状の部材である。この突片５４は、安全カバー１８と一体的に形成され図４の紙面に垂直な方向に延びている。この突片５４は、同図が示すように下向きに突出しており、その側面に上記係合凹部５０が形成されている。この係合凹部５０も図４の紙面に垂直な方向に延びている。
【００３８】
上記蓋１４が閉じられ、ロック部材４０が第１姿勢になると、上記安全カバー１８が閉じられる。すなわち、安全カバー１８は、図５が示す起立姿勢から図４が示す倒伏姿勢に変化する。安全カバー１８が倒伏するに際し、上記突片５４がロック部材４０の上端部、すなわち上記第１アーム部４２の係合凸部４９に当接し、両者が摺動しつつ上記係合凸部４９が上記係合凹部５０に嵌め込まれる。また、安全カバー１８が倒伏姿勢となったときは、上記ロック部材４０が安全カバー１８によって覆われる。また、図４が示すように安全カバー１８が倒伏姿勢にあるときに、釣人は、安全カバー１８の先端部５５に指を掛けて当該安全カバー１８を起立姿勢に変化させることができる。これにより、上記ロック部材４０が露出するので、釣人は、このロック部材４０を操作することにより、上記蓋１４を開けることができる。
【００３９】
本実施形態では、図４が示すように、蓋１４の所定部に突起５６（係合突起）が設けられている。この突起５６は、蓋１４と一体的に形成されている。突起５６は、同図において紙面に垂直な方向に延びる板状に形成されている。一方、上記安全カバー１８は、回動規制部５７（回動規制部材）を備えている。この回動規制部５７は、安全カバー１８の後端部に設けられている。この回動規制部５７は、安全カバー１８と一体的に形成されており、上記安全カバー支持軸５１を中心として径方向外方に突出されている。これら突起５６及び回動規制部５７は、後述のように互いに係合する。突起５６及び回動規制部５７は、安全カバー１８が起立されたときに当該起立状態を保持する保持機構５８を構成する。この保持機構５８の作用効果については後述される。
【００４０】
釣人は、この鮎釣用曳舟１０を使用する際に、曳舟本体１１の蓋１４のロックを解除し、この蓋１４を蓋支持軸３９（図３参照）を中心に回動させることによって開く。この蓋１４が開かれることによって曳舟本体１１の上面１３に設けられた開口３８が露出し、釣人は、鮎を曳舟本体１１の収容室３７に収容することができる。また、釣人は、この蓋１４を閉じることができる。このとき、釣人は、ロック機構１７を操作することによって蓋１４を閉じ状態にロックすることができる。以下、蓋１４の開閉について詳述される。
【００４１】
開放状態（図３参照）にある蓋１４は、蓋支持軸３９を中心に回動倒伏される。曳舟本体１１の開口３８は、当該蓋１４によって閉塞される。この蓋１４が閉じられる際に（図４参照）、ロック部材４０の第２アーム部４３の下端部４７が一旦曳舟本体１１の所定部４８に当接する。この状態で蓋１４がさらに倒伏されると、上記下端部４７が上記所定部４８に沿って移動し、蓋１４が完全に倒伏された状態で上記下端部４７が上記所定部４８に係合する。すなわち、ロック部材４０は、ロック部材支持軸４４を中心に回動し、一旦第１姿勢から第２姿勢側へ姿勢変化した後、再び第１姿勢に戻る。これにより、ロック部材４０の下端部４７が曳舟本体１１に引っ掛かり、蓋１４は、曳舟本体１１に対して閉じ状態が保持される。
【００４２】
さらに、安全カバー１８が安全カバー支持軸５１を中心に回動され、上記ロック部材４０を上から覆うように倒伏される。このとき、前述のように、上記突片５４がロック部材４０の係合凸部４９に当接し、この状態でさらに安全カバー１８が倒伏されると、上記係合凸部４９は、図４において左方向（所定方向）に押しつけられる。すなわち、ロック部材４０は、ロック部材支持軸４４を中心にしてさらに左方向に回動するモーメントを受ける。しかし、この状態では、上記第２アーム部４３の下端部４７が曳舟本体１１に係合しているから、当該ロック部材４０は、もはや左方向へ回動することはできない。そのため、ロック部材４０の第１アーム部４２が一旦左方向へ弾性変形する。これにより、上記係合凸部４９と上記突片５４とが相対的に摺動し、上記係合凸部４９が上記係合凹部５０に嵌め込まれる。
【００４３】
すなわち、安全カバー１８は、ロック部材４０を第１姿勢に保持したままで上記第１アーム部４２を弾性変形させることによって上記係合凸部４９に係合する。そして、安全カバー１８が倒伏されることによって、このロック部材４０が当該安全カバー１８によって覆われるので、釣人は、意図的に安全カバー１８を起立姿勢に変化させない限り、ロック部材４０を操作することはできない。しかも、安全カバー１８を倒伏させる作業は、釣人が片手で安全カバー１８を押さえつけることによって簡単に実施される。
【００４４】
さらに、安全カバー１８は、上記ロック部材４０を弾性変形させることによって倒伏姿勢へと変化するから、仮に、蓋１４が上記開口３８に完全に閉じられていない状態（例えば、図５が示す状態）であっても、釣人が安全カバー１８を押さえて倒伏姿勢に変化させることにより、当該安全カバー１８が上方からロック部部材４０を押さえるので、当該蓋１４が完全に上記開口３８に閉じられ且つ安全カバー１８が倒伏される。つまり、蓋１４が完全に閉じられていない場合であっても、釣人は、安全カバー１８を操作するだけで、蓋１４を完全に閉じることができ、且つ蓋１４は、当該閉じ状態が保持される。
【００４５】
一方、蓋１４が閉じられている場合に、釣人は、上記安全カバー１８を操作して起立姿勢に変化させることができる。このとき、安全カバー１８は、上記ロック部材４０を第１姿勢に保持したままで上記第１アーム部４２を弾性変形させることによって上記係合凸部４９から離脱する。これにより、ロック部材４０が露出し、釣人は、このロック部材４０を摘むことができる。具体的には、釣人が上記第１アーム部４２の先端部を摘み、当該ロック部材４０を右方向（反所定方向）に回動させることによって第１姿勢から第２姿勢へ変化させる（図５参照）。このロック部材４０は、ロック部材支持軸４４の回りに回動自在となっているから、釣人は、この作業を片手で簡単に行うことができる。ロック部材４０が第２姿勢に変化すると、上記第２アーム部４３の下端部４７と曳舟本体１１との係合が解除されるから、釣人は、ロック部材４０を手で摘んだままで蓋１４を開けることができる。
【００４６】
特に、本実施形態では、図５が示すように、安全カバー１８が起立されたときに、安全カバー１８に設けられた回動規制部５７が蓋１４に設けられた突起５６に当接し、この回動規制部５７が上記突起５６に乗り上げた状態となる。これにより、安全カバー１８は、倒伏する方向への回動が規制され、一定の保持力で当該起立状態に保持されることになる。そのため、釣人が蓋１４を開ける際に、安全カバー１８が倒伏することがなく、したがって、釣人は一層容易に蓋１４を開けることができる。
【００４７】
ただし、釣人が安全カバーを強制的に倒伏する方向に回動すると、上記回動規制部５７が上記突起５６を乗り越えて両者の係合が解除される。このとき、回動規制部５７が安全カバー１８と一体的に形成され、突起５６が蓋１４と一体的に形成されているから、両者が弾性的に変形することによって両者の係合が解除される。これにより、安全カバー１８が倒伏され、前述のように蓋１４の閉じ状態がロックされる。
【００４８】
このように本実施形態に係る鮎釣用曳舟１０では、実釣中において釣人が片手で簡単に蓋１４を開閉することができると共に、安全カバー１８が倒伏されていれば、釣人は、意図的に蓋１４を開放しない限り、当該蓋１４が釣人の意に反して不用意に開放されることはない。
【産業上の利用可能性】
【００４９】
本発明は、鮎釣りに使用される曳舟に適用され得る。
【図面の簡単な説明】
【００５０】
【図１】図１は、本発明の一実施形態に係る鮎釣用曳舟の斜視図である。
【図２】図２は、本発明の一実施形態に係る鮎釣用曳舟の斜視図である。
【図３】図３は、本発明の一実施形態に係る鮎釣用曳舟の斜視図である。
【図４】図４は、本発明の一実施形態に係る鮎釣用曳舟の曳舟本体の要部拡大断面図である。
【図５】図５は、本発明の一実施形態に係る鮎釣用曳舟の曳舟本体の要部拡大断面図である。
【図６】図６は、従来の一般的な曳舟の斜視図である。
【符号の説明】
【００５１】
１０・・・鮎釣用曳舟
１１・・・曳舟本体
１３・・・上面
１４・・・蓋
１５・・・ヒンジ
１７・・・ロック機構
１８・・・安全カバー
３７・・・収容室
３８・・・開口
３９・・・蓋支持軸
４０・・・ロック部材
４１・・・中央部
４２・・・第１アーム部
４３・・・第２アーム部
４４・・・ロック部材支持軸
４７・・・第２アーム部の下端部
４９・・・係合凸部
５０・・・係合凹部
５１・・・安全カバー支持軸
５３・・・安全カバーの下面
５４・・・突片
５６・・・突起
５７・・・回動規制部
５８・・・保持機構
【図１】
0004444902.tif 000002
【図２】
0004444902.tif 000003
【図３】
0004444902.tif 000004
【図４】
0004444902.tif 000005
【図５】
0004444902.tif 000006
【図６】
0004444902.tif 000007